(57)【特許請求の範囲】
【請求項１】
下フレームと、上フレームと、前記下フレームに対して前記上フレームを開放自在に覆蓋させるヒンジ部構成とを有する電子機器において、
前記ヒンジ部構成を前記下フレーム及び前記上フレームに対して着脱自在とすると共に、前記ヒンジ部構成として第１仕様のヒンジ部構成と第２仕様のヒンジ部構成とを選択的に有し、
前記第１仕様のヒンジ部構成は、
第１のヒンジ中心を中央部に有し、該第１のヒンジ中心が前記下フレームの上面に位置するように前記下フレームに着脱可能に取り付けられる第１の下フレーム用ヒンジピースと、
前記第１のヒンジ中心を一端部に有し、他端部が前記上フレームに着脱可能に取り付けられる第１の上フレーム用ヒンジピースとを有する一方、
前記第２仕様のヒンジ部構成は、
第２のヒンジ中心を一端部に有し、該第２のヒンジ中心が前記下フレームの上面より上方に位置するように他端部が前記下フレームに着脱可能に取り付けられる第２の下フレーム用ヒンジピースと、
前記第２のヒンジ中心を一端部に有し、他端部が前記上フレームに着脱可能に取り付けられる第２の上フレーム用ヒンジピースとを有し、
前記電子機器は、ロール紙が装填される前記下フレームと、該下フレームを覆蓋する上フレームとを有し、ロール紙を繰り出しつつ紙面に対して印字を行うプリンタであることを特徴とする電子機器。
【請求項２】
請求項１に記載の電子機器において、
前記第１仕様のヒンジ部構成の前記第１の下フレーム用ヒンジピースは、前記第１のヒンジ中心が前記下フレームの後部の上面に位置するように前記下フレームに着脱可能に取り付けられ、
前記第２仕様のヒンジ部構成の前記第２の下フレーム用ヒンジピースは、前記第２のヒンジ中心が前記下フレームの前記後部より後方に位置し前記下フレームの上面より上方に位置するように前記他端部が前記下フレームに着脱可能に取り付けられることを特徴とする電子機器。
【請求項３】
請求項２に記載の電子機器において、
前記第２仕様のヒンジ部構成の前記第２の上フレーム用ヒンジピースの前記一端部と前記他端部との距離は、前記第１仕様のヒンジ部構成の前記第１の上フレーム用ヒンジピースの前記一端部と前記他端部との距離よりも大きいことを特徴とする電子機器。
【請求項４】
請求項１乃至３のいずれかに記載の電子機器において、
さらに、前記上フレームの上方を覆蓋するカバー構成として第１仕様のカバー構成と第２仕様のカバー構成とを選択的に有し、
前記第１仕様のカバー構成は、
前記第１仕様のヒンジ部構成の前記第１のヒンジ中心に回転可能に取り付けられ、前記上フレーム及び前記第１仕様のヒンジ部構成の上方を開放自在に覆蓋する第１仕様のカバー本体を有し、
前記第２仕様のカバー構成は、
前記第２仕様のヒンジ部構成の前記第２のヒンジ中心に回転可能に取り付けられ、前記上フレーム及び前記第２仕様のヒンジ部構成の上方を開放自在に覆蓋する第２仕様のカバー本体を有することを特徴とする電子機器。
【請求項５】
下フレームと、上フレームと、前記下フレームに対して前記上フレームを開放自在に覆蓋させる一対のヒンジ部構成とを有する電子機器において、
前記一対のヒンジ部構成を前記下フレーム及び前記上フレームに対して着脱自在とすると共に、前記一対のヒンジ部構成として一対の第１仕様のヒンジ部構成と一対の第２仕様のヒンジ部構成とを選択的に有し、
前記一対の第１仕様のヒンジ部構成の各々は、
第１のヒンジ中心を中央部に有し、該第１のヒンジ中心が前記下フレームの上面に位置するように前記下フレームに着脱可能に取り付けられる第１の下フレーム用ヒンジピースと、
前記第１のヒンジ中心を一端部に有し、他端部が前記上フレームに着脱可能に取り付けられる第１の上フレーム用ヒンジピースとを有する一方、
前記一対の第２仕様のヒンジ部構成の各々は、
第２のヒンジ中心を一端部に有し、該第２のヒンジ中心が前記下フレームの上面より上方に位置するように他端部が前記下フレームに着脱可能に取り付けられる第２の下フレーム用ヒンジピースと、
前記第２のヒンジ中心を一端部に有し、他端部が前記上フレームに着脱可能に取り付けられる第２の上フレーム用ヒンジピースとを有し、
前記電子機器は、ロール紙が装填される前記下フレームと、該下フレームを覆蓋する上フレームとを有し、ロール紙を繰り出しつつ紙面に対して印字を行うプリンタであることを特徴とする電子機器。
【請求項６】
請求項５に記載の電子機器において、
前記一対の第１仕様のヒンジ部構成の各々の前記第１の下フレーム用ヒンジピースは、前記第１のヒンジ中心が前記下フレームの後部の上面に位置するように前記下フレームに着脱可能に取り付けられ、
前記一対の第２仕様のヒンジ部構成の各々の前記第２の下フレーム用ヒンジピースは、前記第２のヒンジ中心が前記下フレームの前記後部より後方に位置し前記下フレームの上面より上方に位置するように前記他端部が前記下フレームに着脱可能に取り付けられることを特徴とする電子機器。
【請求項７】
請求項６に記載の電子機器において、
前記一対の第２仕様のヒンジ部構成の各々の前記第２の上フレーム用ヒンジピースの前記一端部と前記他端部との距離は、前記一対の第１仕様のヒンジ部構成の各々の前記第１の上フレーム用ヒンジピースの前記一端部と前記他端部との距離よりも大きいことを特徴とする電子機器。
【請求項８】
請求項５乃至７のいずれかに記載の電子機器において、
さらに、前記上フレームの上方を覆蓋するカバー構成として第１仕様のカバー構成と第２仕様のカバー構成とを選択的に有し、
前記第１仕様のカバー構成は、
前記一対の第１仕様のヒンジ部構成の前記第１のヒンジ中心に回転可能に取り付けられ、前記上フレーム及び前記一対の第１仕様のヒンジ部構成の上方を開放自在に覆蓋する第１仕様のカバー本体を有し、
前記第２仕様のカバー構成は、
前記一対の第２仕様のヒンジ部構成の前記第２のヒンジ中心に回転可能に取り付けられ、前記上フレーム及び前記一対の第２仕様のヒンジ部構成の上方を開放自在に覆蓋する第２仕様のカバー本体を有することを特徴とする電子機器。
【発明の詳細な説明】
【技術分野】
【０００１】
本発明は電子機器に関し、特に電子機器の具体例としてのプリンタに関する。
【背景技術】
【０００２】
以下電子機器として、ＰＯＳ(point-of-sale)端末に付随してスタンドアロン(stand-alone)に用いられるスタンドアロン型プリンタ(単体でプリンタとして動作するもの)及びＰＯＳ端末に組み込まれる組み込み型プリンタについて説明するが、本発明はＰＯＳ端末以外に使用されるプリンタにも他の電子機器にも適用され得ることはいうまでもない。
【０００３】
ＰＯＳ端末用のスタンドアロン型プリンタ及び前記組み込み型プリンタは、ロール紙に印刷を行う小型のプリンタである。
【０００４】
この種のプリンタは、構造が簡素であり、小型化、ローコスト化、およびメインテナンスの簡便化に有利であるため、例えば、レシートを発行するＰＯＳ端末などに使用されている。
【０００５】
レシートに印刷を行うレシートプリンタは、例えば特許文献１や特許文献２に開示されている。
【０００６】
レシートプリンタは、ロール紙が装填される下フレームと、該下フレームを覆蓋する上フレームとを有し、ロール紙を繰り出しつつ紙面に対して印字を行うプリンタである。レシートプリンタは、下フレームに対して上フレームを開放自在に覆蓋させるヒンジ部構成を有している。
【０００７】
【特許文献１】特開２００１−３１０５１２号公報
【特許文献２】特開２００１−１２１７６４号公報
【発明の開示】
【発明が解決しようとする課題】
【０００８】
レシートプリンタには、プリンタヒップ部がダウンしたデザインの仕様（これを「ヒップダウンデザイン仕様」または「第１仕様」と呼ぶ。）のプリンタと、プリンタヒップ部がアップしたデザインの仕様（これを「ヒップアップデザイン仕様」または「第２仕様」と呼ぶ）のプリンタとがある。
【０００９】
ヒップダウンデザイン仕様（第１仕様）のプリンタは、典型的には、ＰＯＳ端末から独立したスタンドアロン型プリンタであり、ヒップアップデザイン仕様（第２仕様）のプリンタは、典型的には、ＰＯＳ端末に組み込まれる組み込み型プリンタである。
【００１０】
ヒップダウンデザイン仕様（第１仕様）のプリンタとヒップアップデザイン仕様（第２仕様）のプリンタとは、下フレームに対して上フレームを開放自在に覆蓋させるヒンジ部構成が互いに異なる。すなわち、ヒップダウンデザイン仕様（第１仕様）のプリンタはヒップダウンデザイン仕様（第１仕様）のヒンジ部構成を有し、ヒップアップデザイン仕様（第２仕様）のプリンタはヒップアップデザイン仕様（第２仕様）のヒンジ部構成を有する。ヒップアップデザイン仕様（第２仕様）のヒンジ部構成は、プリンタのヒップアップデザインを達成するため、ヒップダウンデザイン仕様（第１仕様）のヒンジ部構成よりもヒンジ中心が高い。
【００１１】
従来、ヒップダウンデザイン仕様（第１仕様）のプリンタ（スタンドアロン型プリンタ）と、ヒップアップデザイン仕様（第２仕様）のプリンタ（組み込み型プリンタ）とは、上述のように互いにヒンジ部構成が異なるため、ヒンジ部構成によって結合される下フレーム及び上フレームも、異なる部品を用いた別の設計であった。このため、プリンタの組み立てラインや部品の納入計画も別であった。
【課題を解決するための手段】
【００１２】
それ故、本発明の課題は、第１仕様の電子機器と第２仕様の電子機器とで共通の構成を有し、合理的に組み立てや部品納入計画を立てることができ、生産性に優れた電子機器を提供することである。
【００１３】
本発明による電子機器は、以下のとおりである。
【００１４】
（１）  下フレームと、上フレームと、前記下フレームに対して前記上フレームを開放自在に覆蓋させるヒンジ部構成とを有する電子機器において、
前記ヒンジ部構成を前記下フレーム及び前記上フレームに対して着脱自在とすると共に、前記ヒンジ部構成として第１仕様のヒンジ部構成と第２仕様のヒンジ部構成とを選択的に有し、
前記第１仕様のヒンジ部構成は、
第１のヒンジ中心を中央部に有し、該第１のヒンジ中心が前記下フレームの上面に位置するように前記下フレームに着脱可能に取り付けられる第１の下フレーム用ヒンジピースと、
前記第１のヒンジ中心を一端部に有し、他端部が前記上フレームに着脱可能に取り付けられる第１の上フレーム用ヒンジピースとを有する一方、
前記第２仕様のヒンジ部構成は、
第２のヒンジ中心を一端部に有し、該第２のヒンジ中心が前記下フレームの上面より上方に位置するように他端部が前記下フレームに着脱可能に取り付けられる第２の下フレーム用ヒンジピースと、
前記第２のヒンジ中心を一端部に有し、他端部が前記上フレームに着脱可能に取り付けられる第２の上フレーム用ヒンジピースとを有することを特徴とする電子機器。
【００１５】
（２）  上記（１）に記載の電子機器において、
前記第１仕様のヒンジ部構成の前記第１の下フレーム用ヒンジピースは、前記第１のヒンジ中心が前記下フレームの後部の上面に位置するように前記下フレームに着脱可能に取り付けられ、
前記第２仕様のヒンジ部構成の前記第２の下フレーム用ヒンジピースは、前記第２のヒンジ中心が前記下フレームの前記後部より後方に位置し前記下フレームの上面より上方に位置するように前記他端部が前記下フレームに着脱可能に取り付けられることを特徴とする電子機器。
【００１６】
（３）  上記（２）に記載の電子機器において、
前記第２仕様のヒンジ部構成の前記第２の上フレーム用ヒンジピースの前記一端部と前記他端部との距離は、前記第１仕様のヒンジ部構成の前記第１の上フレーム用ヒンジピースの前記一端部と前記他端部との距離よりも大きいことを特徴とする電子機器。
【００１７】
（４）  上記（１）乃至（３）のいずれかに記載の電子機器において、
さらに、前記上フレームの上方を覆蓋するカバー構成として第１仕様のカバー構成と第２仕様のカバー構成とを選択的に有し、
前記第１仕様のカバー構成は、
前記第１仕様のヒンジ部構成の前記第１のヒンジ中心に回転可能に取り付けられ、前記上フレーム及び前記第１仕様のヒンジ部構成の上方を開放自在に覆蓋する第１仕様のカバー本体を有し、
前記第２仕様のカバー構成は、
前記第２仕様のヒンジ部構成の前記第２のヒンジ中心に回転可能に取り付けられ、前記上フレーム及び前記第２仕様のヒンジ部構成の上方を開放自在に覆蓋する第２仕様のカバー本体を有することを特徴とする電子機器。
【００１８】
（５）  上記（１）乃至（４）のいずれかに記載の電子機器において、
前記電子機器は、ロール紙が装填される前記下フレームと、該下フレームを覆蓋する上フレームとを有し、ロール紙を繰り出しつつ紙面に対して印字を行うプリンタであることを特徴とする電子機器。
【００１９】
（６）  上記（１）乃至（５）のいずれかに記載の電子機器において、
前記第１仕様は前記電子機器のヒップダウンデザイン仕様であり、前記第２仕様は前記電子機器のヒップアップデザイン仕様であることを特徴とする電子機器。
【００２０】
（７）  下フレームと、上フレームと、前記下フレームに対して前記上フレームを開放自在に覆蓋させる一対のヒンジ部構成とを有する電子機器において、
前記一対のヒンジ部構成を前記下フレーム及び前記上フレームに対して着脱自在とすると共に、前記一対のヒンジ部構成として一対の第１仕様のヒンジ部構成と一対の第２仕様のヒンジ部構成とを選択的に有し、
前記一対の第１仕様のヒンジ部構成の各々は、
第１のヒンジ中心を中央部に有し、該第１のヒンジ中心が前記下フレームの上面に位置するように前記下フレームに着脱可能に取り付けられる第１の下フレーム用ヒンジピースと、
前記第１のヒンジ中心を一端部に有し、他端部が前記上フレームに着脱可能に取り付けられる第１の上フレーム用ヒンジピースとを有する一方、
前記一対の第２仕様のヒンジ部構成の各々は、
第２のヒンジ中心を一端部に有し、該第２のヒンジ中心が前記下フレームの上面より上方に位置するように他端部が前記下フレームに着脱可能に取り付けられる第２の下フレーム用ヒンジピースと、
前記第２のヒンジ中心を一端部に有し、他端部が前記上フレームに着脱可能に取り付けられる第２の上フレーム用ヒンジピースとを有することを特徴とする電子機器。
【００２１】
（８）  上記（７）に記載の電子機器において、
前記一対の第１仕様のヒンジ部構成の各々の前記第１の下フレーム用ヒンジピースは、前記第１のヒンジ中心が前記下フレームの後部の上面に位置するように前記下フレームに着脱可能に取り付けられ、
前記一対の第２仕様のヒンジ部構成の各々の前記第２の下フレーム用ヒンジピースは、前記第２のヒンジ中心が前記下フレームの前記後部より後方に位置し前記下フレームの上面より上方に位置するように前記他端部が前記下フレームに着脱可能に取り付けられることを特徴とする電子機器。
【００２２】
（９）  上記（８）に記載の電子機器において、
前記一対の第２仕様のヒンジ部構成の各々の前記第２の上フレーム用ヒンジピースの前記一端部と前記他端部との距離は、前記一対の第１仕様のヒンジ部構成の各々の前記第１の上フレーム用ヒンジピースの前記一端部と前記他端部との距離よりも大きいことを特徴とする電子機器。
【００２３】
（１０）  上記（７）乃至（９）のいずれかに記載の電子機器において、
さらに、前記上フレームの上方を覆蓋するカバー構成として第１仕様のカバー構成と第２仕様のカバー構成とを選択的に有し、
前記第１仕様のカバー構成は、
前記一対の第１仕様のヒンジ部構成の前記第１のヒンジ中心に回転可能に取り付けられ、前記上フレーム及び前記一対の第１仕様のヒンジ部構成の上方を開放自在に覆蓋する第１仕様のカバー本体を有し、
前記第２仕様のカバー構成は、
前記一対の第２仕様のヒンジ部構成の前記第２のヒンジ中心に回転可能に取り付けられ、前記上フレーム及び前記一対の第２仕様のヒンジ部構成の上方を開放自在に覆蓋する第２仕様のカバー本体を有することを特徴とする電子機器。
【００２４】
（１１）  上記（７）乃至（１０）のいずれかに記載の電子機器において、
前記電子機器は、ロール紙が装填される前記下フレームと、該下フレームを覆蓋する上フレームとを有し、ロール紙を繰り出しつつ紙面に対して印字を行うプリンタであることを特徴とする電子機器。
【００２５】
（１２）  上記（７）乃至（１１）のいずれかに記載の電子機器において、
前記第１仕様は前記電子機器のヒップダウンデザイン仕様であり、前記第２仕様は前記電子機器のヒップアップデザイン仕様であることを特徴とする電子機器。
【発明の効果】
【００２６】
本発明による電子機器は、第１仕様の電子機器と第２仕様の電子機器とで共通の構成を有し、合理的に組み立てや部品納入計画を立てることができ、生産性に優れている。
【発明を実施するための最良の形態】
【００２７】
次に本発明について図面を参照して説明する。
【００２８】
以下本発明による電子機器として、ＰＯＳ(point-of-sale)端末に付随してスタンドアロン(stand-alone)に用いられるスタンドアロン型プリンタ(単体でプリンタとして動作するもの)及びＰＯＳ端末に組み込まれる組み込み型プリンタについて説明するが、本発明はＰＯＳ端末以外に使用されるプリンタにも他の電子機器にも適用され得ることはいうまでもない。
【００２９】
まず、図１および図２を参照して、本発明の基となるスタンドアロン型プリンタについて説明する。
【００３０】
図１は、本発明の基となるプリンタの基本構成を示している。
【００３１】
図１において、本プリンタは、基本構成として、ロール紙が装填される下フレーム１０と、下フレーム１０を開放自在に覆蓋する上フレーム２０と、下フレーム１０に搭載され、ロール紙を繰り出すプラテン３０と、プラテン３０の周面上の紙面に対して印字を行う例えばサーマルタイプの印字ヘッド４０と、本プリンタの動作を司る下フレーム１０内に組み込まれた制御基板５０とを有している。
【００３２】
図２は、図１を参照して説明した基本構成にレシートプリンタ用の構成を加えて組み立てた本発明の基となるレシートプリンタの構成を示している。図示のレシートプリンタはスタンドアロン型プリンタである。尚、図中、符号５１０は、レシート用のロール紙を示している。
【００３３】
図２において、本プリンタにおいて、印字ヘッド４０によって印字がなされた後のレシート用のロール紙５１０を切断するレシートプリンタ用の切断構成は、上フレーム２０に搭載される固定刃８１と、ロール紙５１０を挟んで固定刃８１に対向するように下フレーム１０に搭載され、駆動源によって駆動されてロール紙５１０を切断する可動カッターユニット８２とを有している。
【００３４】
可動カッターユニット８２には、基準孔が形成されており、基準シャフト８２１がこの基準孔と下フレーム１０に形成された基準孔（図１中、符号１０３）とに亘って挿通されることにより、下フレーム１０に対して正確に位置決めされた状態で搭載される。また、可動カッターユニット８２は、図２には示されていないが歯車を有している。この歯車は可動カッターユニット８２が下フレーム１０に搭載された時に下フレーム１０に搭載されている駆動源の歯車（図示せず）と噛み合う。この結果、駆動源による駆動力が可動カッターユニット８２に伝達される。
【００３５】
さらに、本プリンタにおいて、下フレーム１０および上フレーム２０の前方を覆蓋するレシートプリンタ用のフロントカバー構成は、下フレーム１０に取り外し自在に装着される第１の下カバー６１と、上フレーム２０に取り外し自在に装着される第１の上カバー７１とを有している。第１の下カバー６１の端部とこれに対向する第１の上カバー７１の端部とにより、印字がなされた後のロール紙５１０を排出するレシートプリンタ用の第１の排紙口６３が規定されている。第１の上カバー７１には、防塵や防水のために第１の排紙口６３を塞ぐフラップ９１が取り付けられている。フラップ９１は、軽量で、柔軟性を有する素材から成り、ロール紙５１０の排出を妨げることはない。
【００３６】
さらにまた、本プリンタにおいて、ロール紙５１０を排紙口６３に向けて案内するレシートプリンタ用の排紙構成は、可動カッターユニット８２と第１の下カバー６１の端部（第１の排紙口６３）との間に延びるように第１の下カバー６１に形成された第１の支持路６２を有している。第１の支持路６２上を通って第１の排紙口６３から排出されるロール紙５１０は、フラップ９１によって、第１の支持路６２に僅かに押圧され、撓みが矯正される。
【００３７】
レシートプリンタ用の排紙構成はさらに、第１の下カバー６１の第１の支持路６２に対向するように第１の上カバー７１に設けられ、第１の支持路６２上におけるロール紙５１０の盛り上がりに基づいて用紙ジャムを検出するジャムセンサを有している。このジャムセンサは、第１の上カバー７１に設けられた、例えば投光素子と受光素子とからなる光学式センサ（図示せず）と、第１の支持路６２上におけるロール紙５１０の盛り上がりに応じて変位するように第１の上カバー７１に可動に取り付けられた用紙ガイド７３とを有している。そして、用紙ガイド７３が変位したときに投光素子から受光素子に向かう検出光が遮光または通光することにより、第１の支持路６２上におけるロール紙５１０の用紙ジャムを検出し、プリンタの動作を停止するように構成されている。
【００３８】
尚、本実施例においては、切断構成とフロントカバー構成とが下フレーム１０や上フレーム２０に対して個別に取り付けられているが、本発明はこれに限らず、フロントカバー構成、切断構成、さらには排紙構成が単一のユニットとして一体に構成されていてもよい。即ち、固定刃８１が、第１の上カバー７１に搭載されており、第１の上カバー７１を介して上フレーム２０に搭載される一方、可動カッターユニット８２が、第１の下カバー６１に搭載され、第１の下カバー６１を介して下フレーム１０に搭載されるものであってもよい。
【００３９】
次に、図３〜図８を参照して、本発明の一実施例によるプリンタについて説明する。
【００４０】
本発明は、図３〜図５のヒップダウンデザイン仕様（第１仕様）のプリンタ（スタンドアロン型プリンタ）と、図６〜図８のヒップアップデザイン仕様（第２仕様）のプリンタ（ＰＯＳ端末に組み込まれた組み込み型プリンタ）とのデザインの変化に対応するため、下フレーム１０及び上フレーム２０を共通の構成とし、下フレーム１０及び上フレーム２０を結合するヒンジ部構成（図５及び図８）を下フレーム１０及び上フレーム２０に対して着脱自在とし、ヒンジ部構成（図５及び図８の一方）を別のヒンジ部構成（図５及び図８の他方）に変えることにより、ヒンジ中心の高さを簡単に変えることが出来るようにしたものである。
【００４１】
なお、図３はヒップダウンデザイン仕様（第１仕様）のプリンタ（スタンドアロン型プリンタ）の上フレームが閉じられた状態を示し、図４はヒップダウンデザイン仕様（第１仕様）のプリンタ（スタンドアロン型プリンタ）の上フレームが開かれた状態を示している。図５は図３のヒップダウンデザイン仕様（第１仕様）のプリンタ（スタンドアロン型プリンタ）に使用されている状態の一対のヒンジ部構成を示している。
【００４２】
また、図６はヒップアップデザイン仕様（第２仕様）のプリンタ（ＰＯＳ端末への組み込み型プリンタ）の上フレームが閉じられた状態を示し、図７はヒップアップデザイン仕様（第２仕様）のプリンタ（ＰＯＳ端末への組み込み型プリンタ）の上フレームが開かれた状態を示している。図８は図６のヒップアップデザイン仕様（第２仕様）のプリンタ（ＰＯＳ端末への組み込み型プリンタ）に使用されている一対のヒンジ部構成を示している。
【００４３】
図３及び図４のように、本発明の一実施例によるプリンタがヒップダウンデザイン仕様（第１仕様）のプリンタ（スタンドアロン型プリンタ）として構成された場合であっても、更には図６及び図７のように、本発明の一実施例によるプリンタがヒップアップデザイン仕様（第２仕様）のプリンタ（ＰＯＳ端末への組み込み型プリンタ）として構成された場合であっても、図３及び図４のプリンタ及び図６及び図７のプリンタは、基本的な構成は、図１及び図２を参照して説明した本発明の基となるプリンタ（スタンドアロン型プリンタ）と同じである。即ち、図３及び図４のプリンタ及び図６及び図７のプリンタも、図２のプリンタと同様に、ロール紙が装填される下フレーム１０と、下フレーム１０を覆蓋する上フレーム２０とを有し、ロール紙を繰り出しつつ紙面に対して印字を行うプリンタである。
【００４４】
本発明の一実施例によるプリンタが図１及び図２を参照して説明した本発明の基となるプリンタ（スタンドアロン型プリンタ）と異なるのは、本発明の一実施例によるプリンタでは、図５及び図８のように、下フレーム１０に対して上フレーム２０を開放自在に覆蓋させる一対のヒンジ部構成を下フレーム１０及び上フレーム２０に対して着脱自在とした点、及び本発明の一実施例によるプリンタが前記一対のヒンジ部構成として一対の第１仕様のヒンジ部構成ＨＬ１及びＨＲ１（図５）と一対の第２仕様のヒンジ部構成ＨＬ２及びＨＲ２（図８）とを選択的に有する点である。
【００４５】
図３〜図５において、一対の第１仕様のヒンジ部構成ＨＬ１及びＨＲ１（図５）の各々は、第１の下フレーム用ヒンジピースＨＰ１０−１と、第１の上フレーム用ヒンジピースＨＰ２０−１とを有する。第１の下フレーム用ヒンジピースＨＰ１０−１は、第１のヒンジ中心ＨＣ１を中央部に有し、該第１のヒンジ中心ＨＣ１が下フレーム１０の上面に位置するように下フレーム１０に着脱可能に取り付けられる。第１の上フレーム用ヒンジピースＨＰ２０−１は、第１のヒンジ中心ＨＣ１を一端部に有し、他端部が上フレーム２０に着脱可能に取り付けられる。
【００４６】
図６〜図８において、一対の第２仕様のヒンジ部構成ＨＬ２及びＨＲ２（図８）の各々は、第２の下フレーム用ヒンジピースＨＰ１０−２と、第２の上フレーム用ヒンジピースＨＰ２０−２とを有する。第２の下フレーム用ヒンジピースＨＰ１０−２は、第２のヒンジ中心ＨＣ２を一端部に有し、該第２のヒンジ中心ＨＣ２が下フレーム１０の上面より上方に位置するように他端部が下フレーム１０に着脱可能に取り付けられる。第２の上フレーム用ヒンジピースＨＰ２０−２は、第２のヒンジ中心ＨＣ２を一端部に有し、他端部が上フレーム２０に着脱可能に取り付けられる。 
特に、図３〜図５において、一対の第１仕様のヒンジ部構成ＨＬ１及びＨＲ１（図５）の各々の第１の下フレーム用ヒンジピースＨＰ１０−１は、第１のヒンジ中心ＨＣ１が下フレーム１０の後部の上面に位置するように下フレーム１０に着脱可能に取り付けられる。
【００４７】
この場合、図６〜図８において、一対の第２仕様のヒンジ部構成ＨＬ２及びＨＲ２（図８）の各々の第２の下フレーム用ヒンジピースＨＰ１０−２は、第２のヒンジ中心ＨＣ２が下フレーム１０の前記後部より後方に位置し下フレーム１０の上面より上方に位置するように前記他端部が下フレーム１０に着脱可能に取り付けられる。
【００４８】
ここで、図６〜図８における、一対の第２仕様のヒンジ部構成ＨＬ２及びＨＲ２（図８）の各々の第２の上フレーム用ヒンジピースＨＰ１０−２の前記一端部と前記他端部との距離は、図３〜図５における、一対の第１仕様のヒンジ部構成ＨＬ１及びＨＲ１（図５）の各々の第１の上フレーム用ヒンジピースＨＰ１０−１の前記一端部と前記他端部との距離よりも大きい。
【００４９】
本発明の一実施例によるプリンタは、さらに、上フレーム２０の上方を覆蓋するカバー構成として第１仕様のカバー構成ＣＶ１（図３及び図４）と第２仕様のカバー構成ＣＶ２（図６及び図７）とを選択的に有する。
【００５０】
第１仕様のカバー構成ＣＶ１（図３及び図４）は第１仕様のカバー本体を有し、第１仕様のカバー本体は、一対の第１仕様のヒンジ部構成ＨＬ１及びＨＲ１（図５）の第１のヒンジ中心ＨＣ１に回転可能に取り付けられ、上フレーム２０及び一対の第１仕様のヒンジ部構成ＨＬ１及びＨＲ１（図５）の上方を開放自在に覆蓋する。
【００５１】
一方、第２仕様のカバー構成ＣＶ２（図６及び図７）は第２仕様のカバー本体を有し、第２仕様のカバー本体は、一対の第２仕様のヒンジ部構成ＨＬ２及びＨＲ２（図８）の第２のヒンジ中心ＨＣ２に回転可能に取り付けられ、上フレーム２０及び一対の第２仕様のヒンジ部構成ＨＬ２及びＨＲ２（図８）の上方を開放自在に覆蓋する。
【００５２】
第１仕様がヒップダウンデザイン仕様であり、第２仕様がヒップアップデザイン仕様であるので、第２仕様のカバー構成ＣＶ２（図６及び図７）の高さは第１仕様のカバー構成ＣＶ１（図３及び図４）の高さよりも高い。
【００５３】
上述の第１仕様のカバー構成ＣＶ１（図３及び図４）及び第２仕様のカバー構成ＣＶ２（図６及び図７）によれば、プリンタのヒンジ中心を使ってカバー本体を開けることができる。
【産業上の利用可能性】
【００５４】
以上、本発明について好ましい実施例に即して説明したが、本願発明は上記実施例に限定されるものではない。例えば、チケット又はクーポンの発券機に使用されている、チケット印刷やクーポン印刷を行うチケットプリンタにも適用できる。チケットプリンタも、ロール紙が装填される下フレームと、該下フレームを覆蓋する上フレームとを有し、ロール紙を繰り出しつつ紙面に対して印字を行うプリンタである。
【図面の簡単な説明】
【００５５】
【図１】本発明の基となるプリンタの基本構成を示す断面図である。
【図２】図１に示された基本構成にレシートプリンタ用の構成を加えて組み立てた本発明の基となるレシートプリンタ（スタンドアロン型プリンタ）の断面図である。
【図３】本発明の一実施例によるプリンタを説明するための図で、ヒップダウンデザイン仕様（第１仕様）のプリンタ（スタンドアロン型プリンタ）の上フレームを閉じた状態を示す図である。
【図４】上記実施例によるプリンタを説明するための図で、ヒップダウンデザイン仕様（第１仕様）のプリンタ（スタンドアロン型プリンタ）の上フレームを開いた状態を示す図である。
【図５】上記実施例によるプリンタを説明するための図で、図３のヒップダウンデザイン仕様（第１仕様）のプリンタ（スタンドアロン型プリンタ）に使用されている状態の一対のヒンジ部構成を示す三面図である。
【図６】上記実施例によるプリンタを説明するための図で、ヒップアップデザイン仕様（第２仕様）のプリンタ（ＰＯＳ端末に組み込まれた組み込み型プリンタ）の上フレームを閉じた状態を示す図である。
【図７】上記実施例によるプリンタを説明するための図で、ヒップアップデザイン仕様（第２仕様）のプリンタ（ＰＯＳ端末に組み込まれた組み込み型プリンタ）の上フレームを開いた状態を示す図である。
【図８】上記実施例によるプリンタを説明するための図で、図６のヒップアップデザイン仕様（第２仕様）のプリンタ（ＰＯＳ端末に組み込まれた組み込み型プリンタ）に使用されている状態の一対のヒンジ部構成を示す三面図である。
【符号の説明】
【００５６】
１０    下フレーム
２０    上フレーム
３０    プラテン
４０    印字ヘッド
ＨＬ１及びＨＲ１    第１仕様のヒンジ部構成
ＨＬ２及びＨＲ２    第２仕様のヒンジ部構成
ＨＰ１０−１    第１の下フレーム用ヒンジピース
ＨＰ２０−１    第１の上フレーム用ヒンジピース
ＨＣ１    第１のヒンジ中心
ＨＰ１０−２    第２の下フレーム用ヒンジピース
ＨＰ２０−２    第２の上フレーム用ヒンジピース
ＨＣ２    第２のヒンジ中心
ＣＶ１    第１仕様のカバー構成
ＣＶ２    第２仕様のカバー構成
【図１】
0004418988.tif 000002
【図２】
0004418988.tif 000003
【図３】
0004418988.tif 000004
【図４】
0004418988.tif 000005
【図５】
0004418988.tif 000006
【図６】
0004418988.tif 000007
【図７】
0004418988.tif 000008
【図８】
0004418988.tif 000009